(57)【要約】【課題】遊技島を改築することなく遊技台に対応して設置可能であり、しかもメンテナンス性に優れた紙幣搬送ユニットを提供する。【解決手段】紙幣搬送ユニット１８は、取付板１６に固定設置される取付金具３０と、取付金具３０に設置されて紙幣の搬送を行う搬送本体部３１と、取付金具３０に開閉自在に設置されて搬送本体部３１を覆う搬送路蓋部３２とから構成されている。また、紙幣搬送ユニット１８は天地反転自在に設置可能であり、さらに、搬送路支持部と搬送路カバー部の長さを変更することによって紙幣搬送ユニット全体の大きさを調節し、遊技台に対応した大きさの紙幣搬送ユニットを提供することができる。したがって、取付金具３０と搬送本体部３１と搬送路蓋部３２で構成される紙幣搬送ユニット１８は、各遊技台の大きさに対応して設置することが可能となる。【選択図】        図３
2004254784.tif 000002
【特許請求の範囲】
【請求項１】
横方向に配列された遊技台の上方近傍に延在する取付板に設置され、それぞれが接続されることによって遊技台配列方向に紙幣搬送を行う紙幣搬送装置を構成する紙幣搬送ユニットであって、
取付板に固定設置される取付金具と、
取付金具に設置され、紙幣の搬送を行う搬送本体部と、
取付金具に開閉自在に設置され、搬送本体部を覆う搬送路蓋部と、
を有し、
取付金具と搬送本体部と搬送路蓋部を含む紙幣搬送ユニットが遊技台ごとに対応して設置されること、
を特徴とする紙幣搬送ユニットにおいて、
前記搬送本体部は、
紙幣を投入するための紙幣投入口と、
投入された紙幣が正常な紙幣であるかを識別する紙幣識別器と、
投入された紙幣を搬送するための駆動力を発生させる搬送駆動部と、
搬送駆動部からの駆動力を伝達された紙幣が、次の紙幣搬送ユニットあるいは紙幣回収器に搬送されるために通過する搬送部と、
を有し、
これらで構成される紙幣搬送ユニットは、天地反転自在に設置されること、
を特徴とする紙幣搬送ユニット。
【請求項２】
請求項１に記載の紙幣搬送ユニットにおいて、
前記取付金具は、
取付金具と搬送路蓋部を接続し、この接続部を支点として搬送路蓋部を開閉自在とする接続部材と、
接続部材と対向する位置に設けられ、取付金具と搬送路蓋部を固定・解放するロック部材と、
を有し、
接続部材とロック部材は、これらが有する同一の取付構造によって取付金具に取り付けられ、
紙幣搬送ユニットを天地反転させたとき、搬送路蓋部を水平反転するとともに接続部材とロック部材の取付位置を変更することにより、搬送路蓋部を常に同一方向開きとすること、
を特徴とする紙幣搬送ユニット。
【請求項３】
請求項１又は２に記載の紙幣搬送ユニットにおいて、
前記搬送部は、
取付金具に設置される搬送路支持部と、
搬送路支持部に着脱可能に設置される搬送路カバー部と、
を有し、
搬送路支持部と搬送路カバー部が嵌合してその間に形成される空間が紙幣搬送通路となり、搬送路支持部と搬送路カバー部の対向する面がそれぞれ一方の紙幣搬送通路壁面を構成すること、
を特徴とする紙幣搬送ユニット。
【請求項４】
請求項３に記載の紙幣搬送ユニットにおいて、
前記搬送路カバー部は、搬送路支持部に対して上下両開きであること、
を特徴とする紙幣搬送ユニット。
【発明の詳細な説明】
【０００１】
【発明の属する技術分野】
本発明は、紙幣搬送ユニット、特に、遊技台の配列方向に紙幣搬送を行うべく遊技台に対応して設置される紙幣搬送ユニットの改良に関する。
【０００２】
【従来の技術】
パチンコ店等の遊技店では、パチンコ台やスロットマシン等の遊技台を横方向に直線状に配置して遊技島を形成しているのが一般的である。図１４には、遊技台２を複数台配列した遊技島１の例が示されている。図１４において、遊技台２はスロットマシンとして例示されている。遊技台２の間には、遊技台２の２台に１台の割合で、遊技媒体貸出機３が配設されている。図示するスロットマシンに対応する遊技媒体は、メダルであるので、この貸出機３はメダル貸出機である。遊技台がパチンコ台であれば、遊技媒体貸出機は、パチンコ玉貸出機となる。遊技島１には、さらに各遊技台２の上方に設けられた呼び出しランプ等の遊技島設備品５及びその上方にストック箱等を置いておく玉箱収納部６が設けられている。
【０００３】
上記した遊技島１は、図示しない柱部材と水平部材により構築された支持枠体内に各遊技台２及び遊技媒体貸出機３を組み込むとともに、各遊技台２の上方に遊技島設備品５及びストック箱等を置いておく玉箱収納部６を配置することにより組み立てられている。
【０００４】
一般的に、遊技島１に設置された遊技媒体貸出機３は、投入した紙幣を紙幣識別した後、内部の収納装置付紙幣識別装置に収納するように構成されている。遊技媒体貸出機３が投入された紙幣で満杯になったときは、遊技店の店員が遊技媒体貸出機３の前面扉を開き、収納装置付紙幣識別装置に収納された紙幣を手作業にて回収する必要があった。
【０００５】
これに対して、例えば下記特許文献１には、紙幣の手作業による回収を排除するため、各遊技媒体貸出機３が設置される遊技島内部に、紙幣搬送装置を備えた遊技島が提案されている。
【０００６】
例えば、図１５、図１６及び図１７に示されるように、遊技媒体の貸出のために投入された紙幣は、各遊技媒体貸出機３の上方に設けられた紙幣投入口３ａから紙幣識別装置３ｂを介して、紙幣を起立姿勢で搬送する紙幣搬送装置４により遊技島１の端部に設けた紙幣回収器８に搬送され、整列・収納されるようになっている。
【０００７】
このような構成の遊技島１によれば、各遊技台２に、遊技媒体貸出機３が設けられており、遊技者は、遊技台２に隣接した遊技媒体貸出機３の紙幣投入口３ａから紙幣を投入することにより、遊技媒体の貸出を受けることができる。また、店員は従来のように各遊技媒体貸出機３の内側の収納装置付紙幣識別装置に収納された紙幣をわざわざ巡回して回収する手作業がなくなる。
【０００８】
【特許文献１】
実開平０４−９０３８９号公報
【０００９】
【発明が解決しようとする課題】
しかしながら、上記特許文献１に示された紙幣搬送装置４を既存の遊技島１に後付けで設置しようとすると、各遊技台２及び遊技媒体貸出機３が設置される遊技島１の上部を改築する必要があり、大きなコストと時間を要するという問題があった。
【００１０】
また、図１７に示すように、遊技台２が遊技島１の両側に設置される場合には、店員による紙幣回収作業の効率化を考慮して、紙幣回収器８は遊技島１の同じ側の端部に設けられている。この場合に、図１７で示す手前側の紙幣搬送装置４ａは、紙幣を左側に搬送しなければならず、反対側の紙幣搬送装置４ｂは、紙幣を右側に搬送しなければならない。このため、従来の紙幣搬送装置は、左搬送用の紙幣搬送装置４ａと右搬送用の紙幣搬送装置４ｂという２種類の紙幣搬送装置を用意しなければならず、この点からもコストアップの原因となっていた。
【００１１】
さらに、上記特許文献１に開示されているように、遊技島１の内部に紙幣搬送装置４が設けられている構造では、紙幣の搬送過程において発生した紙幣詰まり等の不具合に迅速に対応することは非常に困難であった。
【００１２】
【課題を解決するための手段】
以上のような課題を解決するために、本発明に係る紙幣搬送ユニットは、横方向に配列された遊技台の上方近傍に延在する取付板に設置され、それぞれが接続されることによって遊技台配列方向に紙幣搬送を行う紙幣搬送装置を構成する紙幣搬送ユニットであって、取付板に固定設置される取付金具と、取付金具に設置されて紙幣の搬送を行う搬送本体部と、取付金具に開閉自在に設置されて搬送本体部を覆う搬送路蓋部とを有しており、取付金具と搬送本体部と搬送路蓋部を含む紙幣搬送ユニットが遊技台ごとに対応して設置されることを特徴とする。
【００１３】
この本発明に係る紙幣搬送ユニットが備える前記搬送本体部は、紙幣を投入するための紙幣投入口と、投入された紙幣が正常な紙幣であるかを識別する紙幣識別器と、投入された紙幣を搬送するための駆動力を発生させる搬送駆動部と、搬送駆動部からの駆動力を伝達された紙幣が次の紙幣搬送ユニットあるいは紙幣回収器に搬送されるために通過する搬送部とを有しており、これらで構成される紙幣搬送ユニットは、天地反転自在に設置されることを特徴とする。
【００１４】
また、本発明に係る紙幣搬送ユニットが備える前記取付金具は、取付金具と搬送路蓋部を接続し、この接続部を支点として搬送路蓋部を開閉自在とする接続部材と、接続部材と対向する位置に設けられて取付金具と搬送路蓋部を固定・解放するロック部材とを有している。接続部材とロック部材は、これらが有する同一の取付構造によって取付金具に取り付けられており、紙幣搬送ユニットを天地反転させたときに、搬送路蓋部を水平反転するとともに接続部材とロック部材の取付位置を変更することにより、搬送路蓋部を常に同一方向開きとすることを特徴とする。
【００１５】
さらに、本発明に係る紙幣搬送ユニットが備える前記搬送部は、取付金具に設置される搬送路支持部と、搬送路支持部に着脱可能に設置される搬送路カバー部とを有しており、搬送路支持部と搬送路カバー部が嵌合してその間に形成される空間が紙幣搬送通路となり、搬送路支持部と搬送路カバー部の対向する面がそれぞれ一方の紙幣搬送通路壁面を構成することを特徴とする。
【００１６】
さらにまた、本発明に係る紙幣搬送ユニットが備える前記搬送路カバー部は、搬送路支持部に対して上下両開きであることを特徴とする。
【００１７】
【発明の実施の形態】
以下、本発明に係る紙幣搬送ユニットの好適な実施の形態について、図を用いて説明する。図１は、本発明に係る紙幣搬送装置が適用される遊技島１０の概略構成を示す斜視図である。また、図２は、本発明に係る紙幣搬送装置が適用される遊技島１０の概略構成を示す上面図である。遊技島１０は、複数の遊技台１２を横方向に配列して構成されている。図示する遊技台１２はスロットマシンとして示されているが、他の種類、例えば、パチンコ台であってもよい。また、図２において示すように、店内のレイアウトによっては、遊技台１２同士が背中合わせとなるように２列に配列することも可能である。各遊技台１２の間には、遊技媒体貸出機１４が配置される。また、各遊技台１２の上方近傍に延在する取付板１６には、遊技台１２の配列ピッチと略同じ長さを有する紙幣搬送ユニット１８が配置され、各紙幣搬送ユニット１８が横方向に接続されることによって紙幣搬送装置２０を構成している。紙幣搬送ユニット１８が配置されたさらに上方には、ストック箱を置いておく玉箱収納部２２が設けられている場合の島もある。
【００１８】
紙幣搬送ユニット１８の紙幣投入口３３ａに投入された紙幣は、紙幣搬送ユニット１８の内部に送り込まれ、下流側（図中左隣）の紙幣搬送ユニット１８に順次送られる。最終的に、紙幣は遊技島１０の端（図中左端）に設けられた紙幣回収器２４に送られ、ここに揃えて金種別もしくは混在で収容される。また、紙幣搬送ユニット１８の前面には、遊技の内容や状況に応じた表示、動作を行うための操作部を有する呼び出しランプ２６が設けられている。
【００１９】
図３は、１つの紙幣搬送ユニット１８の構造を示す分解斜視図である。また、図４は、実際に使用される状態での紙幣搬送ユニット１８を示しており、搬送路蓋部３２を閉じることによって搬送本体部３１が収納された状態を示している。紙幣搬送ユニット１８は、取付板１６に固定設置される取付金具３０と、取付金具３０に設置されて紙幣の搬送を行う搬送本体部３１と、取付金具３０に開閉自在に設置されて搬送本体部３１を覆う搬送路蓋部３２とから構成されている。これら取付金具３０と搬送本体部３１と搬送路蓋部３２で構成されている紙幣搬送ユニット１８は、各遊技台の横幅と略同じ大きさで設置されることになる。なお、図示される紙幣搬送ユニット１８の場合、紙幣は右下から左上へと向けて送られる。また、搬送路蓋部３２を開閉する際には、紙幣投入口カバー３３に設置されている鍵を操作して開閉動作を行うことになる。
【００２０】
搬送本体部３１は、紙幣搬送ユニット１８の一端側に紙幣を投入するための紙幣投入口３３ａを有する紙幣投入口カバー３３と、投入された紙幣が正常な紙幣であるかを識別する紙幣識別器３４と、投入された紙幣を搬送するための駆動力を発生させる搬送駆動部３５と、搬送駆動部３５からの駆動力を伝達された紙幣が次の紙幣搬送ユニット１８あるいは紙幣回収器２４に搬送されるために通過する搬送部３６とを有している。なお、本実施の形態に係る紙幣搬送ユニット１８では、千円紙幣、二千円紙幣、五千円紙幣、一万円紙幣という全種類の紙幣を搬送することが可能となっている。
【００２１】
紙幣投入口カバー３３が有する紙幣投入口３３ａは、紙幣を紙幣識別器３４に正しく挿入するために設けられており、この紙幣投入口３３ａに対して、紙幣は起立姿勢で投入される。紙幣識別器３４には、磁気センサ等投入された紙幣の正偽及び券種を識別するためのセンサ類が装備されている。この紙幣識別器３４が備える識別装置については、周知のあらゆる紙幣識別技術を採用することが可能である。搬送駆動部３５は、駆動力を発生するモータとそのモータ回転軸に掛け回された搬送ベルトから構成されている。この搬送ベルトは、搬送駆動部３５から搬送部３６全体にわたって掛け回されている。搬送ベルトの対面には着脱自在なローラが設置されており、投入された紙幣は搬送ベルトとローラによって挟持され、搬送されることになる。このような機構によって、紙幣投入口３３ａから投入された紙幣は、次の紙幣搬送ユニット１８あるいは紙幣回収器２４に搬送される。なお、本実施の形態に係る紙幣搬送ユニット１８では、紙幣が投入されたときのみ搬送を実施する間欠運転が行われている。
【００２２】
図５は、本実施の形態に係る紙幣搬送ユニット１８の横断面を示す図であり、紙幣の搬送経路を説明するための図である。なお、図５では、紙幣投入口カバー３３を外した状態の紙幣搬送ユニット１８を示している。紙幣投入口３３ａから投入された紙幣は、矢印（Ａ）で示される紙幣投入路を通過することになる。ここで、紙幣識別器３４によって、不正な紙幣が投入されたと判断されると、紙幣識別器３４自身が備える駆動機構３８によって不正紙幣は払い出されることになる。なお、この駆動機構３８は、常には紙幣の搬送を行うものであり、紙幣の搬送及び排除という２種類の機能を果たしている。矢印（Ｂ）で示される主搬送路には、上流に設置されている別の紙幣搬送ユニット１８からの紙幣が搬送されてくる。紙幣投入路（Ａ）と主搬送路（Ｂ）は、分離ガイド３９によって分離されている。ここで、紙幣投入路（Ａ）と主搬送路（Ｂ）の合流部（Ｘ）において紙幣を接触させないため、紙幣投入路（Ａ）には、紙幣が待機できるだけの長さが確保されている。この待機長の確保によって、主搬送路（Ｂ）の搬送を優先して行うことになる。すなわち、主搬送路（Ｂ）から搬送されてくる紙幣を検知するためのセンサ（不図示）からの信号によって、主搬送路（Ｂ）に紙幣が搬送されているときには、紙幣投入路（Ａ）に投入された紙幣は搬送を停止して待機状態とし、主搬送路（Ｂ）の紙幣が合流部（Ｘ）を通過後に紙幣投入路（Ａ）の紙幣を搬送することになる。その後、紙幣は搬送部３６が形成する紙幣搬送通路（Ｃ）を通過する。このような搬送を行うことにより、搬送途中において紙幣が重なることはなく、一枚づつ正確に搬送することができるので、正確な売り上げカウントを行うことが可能となる。なお、投入された紙幣が正札であれば、遊技媒体貸出機１４から遊技媒体が貸し出されることになる。
【００２３】
ここで、本実施の形態で特徴的なことは、紙幣搬送ユニット１８が天地反転自在に設置可能であるということである。前述した通り、遊技台２が遊技島１の両側に設置される場合には、店員による紙幣回収作業の効率化を考慮して、紙幣回収器８は遊技島１の同じ側の端部に設けられている（第１７図参照）。このため、従来の紙幣搬送装置は、左搬送用の紙幣搬送装置４ａと右搬送用の紙幣搬送装置４ｂという２種類の紙幣搬送装置を用意しなければならず、コストアップの原因となっていた。本実施の形態に係る紙幣搬送ユニット１８によれば、天地反転自在に設置可能であるため、左搬送用、右搬送用という２種類の紙幣搬送装置を用意する必要がなくなる。したがって、１種類の紙幣搬送ユニット１８を左搬送用、右搬送用に兼用して使用することができるので、製造コスト等の削減を図ることが可能となる。
【００２４】
図６で示す紙幣搬送ユニット１８は、これまで図３及び図４を用いて説明した紙幣搬送ユニット１８を天地反転させたものである。図３及び図４で示した紙幣搬送ユニット１８は、紙幣搬送方向が左方向であったが、図６で示す紙幣搬送ユニット１８は、紙幣搬送方向が右方向である。以下、図７及び図８を用いて紙幣搬送ユニット１８の天地反転する場合の取付手順を説明する。
【００２５】
図７は、搬送方向が左方向の場合の取付金具３０と搬送路蓋部３２とを示している。また、図８は、搬送方向が右方向の場合の取付金具３０と搬送路蓋部３２とを示している。ここで、紙幣搬送ユニット１８を天地反転する場合において、搬送路蓋部３２のみは、水平反転することになる。これは、搬送路蓋部３２の前面には、後に呼び出しランプ２６が設けられることになるが、ランプの配線の関係から搬送路蓋部３２を天地反転したのでは取付ができなくなってしまうからである。なお、搬送本体部３１については、取付金具３０と同じ動きであるため、ここでは図示を省略している。
【００２６】
まず、図７で示す取付金具３０ａ，３０ｂを天地反転すると図８で示した取付金具３０ａ，３０ｂの状態になる。すなわち、図７における取付金具３０ａの（＊１）及び（＊２）は、図８で示す取付金具３０ａの同一符号に対応している。取付金具３０ｂの（＊３）及び（＊４）についても同様である。
【００２７】
ここで、取付金具３０ａ，３０ｂと搬送路蓋部３２とは、接続部材４０ａ，４０ｂによって接続されている。この接続部材４０ａ，４０ｂは蝶番の役目を果たしており、取付金具３０ａ，３０ｂと搬送路蓋部３２は、この接続部材４０ａ，４０ｂを支点として開閉自在に取り付けられている。一方、接続部材４０ａ，４０ｂの対向する位置には、ロック部材４１ａ，４１ｂが設けられている。このロック部材４１ａ，４１ｂは、開閉自在に取り付けられている搬送路蓋部３２を固定・解放するために設けられている。
【００２８】
接続部材４０ａ，４０ｂとロック部材４１ａ，４１ｂは、同一の取付構造によって取付金具３０ａ，３０ｂ及び搬送路蓋部３２に取り付けることが可能であり、取付金具３０ａ，３０ｂを天地反転させるとともに搬送路蓋部３２を水平反転させたとき、これら接続部材４０ａ，４０ｂとロック部材４１ａ，４１ｂの取付位置を入れ替えることによって、搬送路蓋部３２を常に同一方向開きとすることが可能である。
【００２９】
接続部材４０ａ，４０ｂの詳細な構造について図９を用いて説明すると、搬送路蓋部３２側に取り付けられている接続部材４０ｂは、さらに、摺動部材４０ｃを有しており、この摺動部材４０ｃによって取付金具３０と搬送路蓋部３２の接続・取り外しが可能である。すなわち、摺動部材４０ｃは、常には取付金具３０側の接続部材４０ａと接続しているが（第９図（接続時）参照）、摺動部材４０ｃが矢印（Ｄ）で示す方向に摺動することによって摺動部材４０ｃが備える接続ピンを取付金具３０側の接続部材４０ａから退避させ、取付金具３０と搬送路蓋部３２を取り外すことになる（第９図（取り外し時）参照）。
【００３０】
次に、ロック部材４１ａ，４１ｂの詳細な構造について図１０を用いて説明する。取付金具３０側には、凸形状を有するロック部材４１ａが摺動可能に取り付けられており、搬送路蓋部３２側には、凹形状を有するロック部材４１ｂが固定されて取り付けられている。取付金具３０側の凸形状を有するロック部材４１ａが矢印（Ｅ１）で示す方向に移動して搬送路蓋部３２側の凹形状を有するロック部材４１ｂに嵌り合うと、取付金具３０と搬送路蓋部３２がロックされる（第１０図（ロック時）参照）。一方、取付金具３０側の凸形状を有するロック部材４１ａが矢印（Ｅ２）で示す方向に移動して搬送路蓋部３２側の凹形状を有するロック部材４１ｂから離れると、取付金具３０と搬送路蓋部３２のロックが解除される（第１０図（アンロック時）参照）。
【００３１】
続いて、本実施の形態に係る紙幣搬送ユニット１８が有する搬送部３６について図１１、図１２及び図１３を用いて説明する。図１１は、本実施の形態に係る紙幣搬送ユニット１８が有する搬送部３６を示す図であり、搬送路カバー部４３が上開きの状態を示す図である。また、図１２は、本実施の形態に係る紙幣搬送ユニット１８が有する搬送部３６を示す図であり、搬送路カバー部４３が下開きの状態を示す図である。さらに、図１３は、本実施の形態に係る紙幣搬送ユニット１８が有する搬送部３６を示す図であり、搬送路カバー部４３を取り外した状態を示す図である。
【００３２】
搬送部３６は、取付金具に設置される搬送路支持部４２と、搬送路支持部４２に着脱可能に設置される搬送路カバー部４３とから構成されている。搬送路支持部４２と搬送路カバー部４３は、それぞれが有する取付構造４２ａ，４３ａ，４３ｂによって接続されている。また、搬送路支持部４２と搬送路カバー部４３は、お互いが嵌合することによってその間に空間を形成している。この空間が紙幣搬送通路（第５図中の矢印（Ｃ））となり、搬送路支持部４２と搬送路カバー部４３の対向する面がそれぞれ一方の紙幣搬送通路（Ｃ）壁面を構成している。
【００３３】
搬送路支持部４２と搬送路カバー部４３の大きさは、遊技台に対応して決定されている。すなわち、搬送路支持部４２と搬送路カバー部４３の長さを変更することによって紙幣搬送ユニット全体の大きさを調節し、遊技台に対応した大きさの紙幣搬送ユニットを提供することが可能となる。この際、搬送路支持部４２と搬送路カバー部４３が有する凹凸構造によって、切断加工を簡単に実施することが可能となっている。
【００３４】
なお、搬送路支持部４２と搬送路カバー部４３は、四隅に取付構造４２ａ，４３ａ，４３ｂを有している。さらに、搬送路カバー部４３が内側に有する取付構造４３ｂは摺動可能となっており、ストッパの役目を果たしている。すなわち、搬送路カバー部４３は、搬送路支持部４２に対して上下のどちら側でも開くことができ、さらに、取り外すことも可能である。したがって、紙幣搬送ユニット１８を天地反転させた場合であっても、搬送路カバー部４３を上下開き、及び、取り外し可能としたことによって、本実施の形態に係る紙幣搬送ユニットは、紙幣詰まり等に対するメンテナンス性に大変優れた構造を有している。
【００３５】
【発明の効果】
以上述べたように、本発明によれば、紙幣搬送ユニットを遊技台の上方近傍に延在する取付板に設置可能としたので、その施工時に遊技島を改築する必要がないため、大幅なコスト削減と施工時間の短縮を図ることができる。
【００３６】
また、紙幣搬送ユニットを遊技台の横幅と略同じ長さに対応して設置することが可能であるため、新たな遊技台に変更する場合においても、遊技島の改築を行うことなく遊技台に対応した大きさの紙幣搬送ユニットを設置することができ、大幅なコスト削減と施工時間の短縮を図ることができる。
【００３７】
さらに、紙幣搬送ユニットを天地反転自在に取付可能としたことによって、従来必要であった左搬送用の紙幣搬送装置と右搬送用の紙幣搬送装置という２種類の紙幣搬送装置を用意する必要がなくなり、１種類の紙幣搬送ユニット１８を左搬送用、右搬送用に兼用して使用することができるので、この点からもコスト削減を図ることが可能となった。
【００３８】
またさらに、紙幣搬送ユニットをメンテナンス性に優れた構造とすることによって、紙幣の搬送過程において発生する紙幣詰まり等の不具合に迅速に対応することが可能となった。
【図面の簡単な説明】
【図１】本発明に係る紙幣搬送装置が適用される遊技島の概略構成を示す斜視図である。
【図２】本発明に係る紙幣搬送装置が適用される遊技島の概略構成を示す上面図である。
【図３】１つの紙幣搬送ユニットの構造を示す分解斜視図である。
【図４】実際に使用される状態での紙幣搬送ユニットを示しており、搬送路蓋部を閉じることによって搬送本体部が収納された状態を示す図である。
【図５】本発明に係る紙幣搬送ユニットの横断面を示しており、紙幣の搬送経路を説明するための図である。
【図６】図３及び図４で示した紙幣搬送ユニットを天地反転させた状態を示す図である。
【図７】搬送方向が左方向の場合の取付金具と搬送路蓋部を示す図である。
【図８】搬送方向が右方向の場合の取付金具と搬送路蓋部を示す図である。
【図９】接続部材の詳細な構造を説明する図である。
【図１０】ロック部材の詳細な構造を説明する図である。
【図１１】本発明に係る紙幣搬送ユニットが有する搬送部を示す図であり、搬送路カバー部が上開きの状態を示す図である。
【図１２】本発明に係る紙幣搬送ユニットが有する搬送部を示す図であり、搬送路カバー部が下開きの状態を示す図である。
【図１３】本発明に係る紙幣搬送ユニットが有する搬送部を示す図であり、搬送路カバー部を取り外した状態を示す図である。
【図１４】従来の技術に係る遊技島を例示したものであり、遊技台を複数台配列した状態を示す図である。
【図１５】従来の技術に係る紙幣搬送装置を説明する図である。
【図１６】従来の技術に係る紙幣搬送装置を説明する図である。
【図１７】従来の技術に係る紙幣搬送装置を説明する図である。
【符号の説明】
１，１０  遊技島、２，１２  遊技台、３，１４  遊技媒体貸出機、３ａ  紙幣投入口、３ｂ  紙幣識別装置、４  従来の技術に係る紙幣搬送装置、４ａ  左搬送用紙幣搬送装置、４ｂ  右搬送用紙幣搬送装置、５  遊技島設備品、６，２２  玉箱収納部、８，２４  紙幣回収器、１６  取付板、１８  紙幣搬送ユニット、２０  紙幣搬送装置、２６  呼び出しランプ、３０，３０ａ，３０ｂ  取付金具、３１  搬送本体部、３２  搬送路蓋部、３３  紙幣投入口カバー、３３ａ紙幣投入口、３４  紙幣識別器、３５  搬送駆動部、３６  搬送部、３８  駆動機構、３９  分離ガイド、４０ａ，４０ｂ  接続部材、４０ｃ  摺動部材、４１ａ，４１ｂ  ロック部材、４２  搬送路支持部、４２ａ  搬送路支持部取付構造、４３  搬送路カバー部、４３ａ，４３ｂ  搬送路カバー部取付構造。
【図１】
2004254784.tif 000003
【図２】
2004254784.tif 000004
【図３】
2004254784.tif 000005
【図４】
2004254784.tif 000006
【図５】
2004254784.tif 000007
【図６】
2004254784.tif 000008
【図７】
2004254784.tif 000009
【図８】
2004254784.tif 000010
【図９】
2004254784.tif 000011
【図１０】
2004254784.tif 000012
【図１１】
2004254784.tif 000013
【図１２】
2004254784.tif 000014
【図１３】
2004254784.tif 000015
【図１４】
2004254784.tif 000016
【図１５】
2004254784.tif 000017
【図１６】
2004254784.tif 000018
【図１７】
2004254784.tif 000019